(57)【要約】  ２桁以上または２文字以上の情報の入力を容易化することのできる端末装置、情報入力方法およびプログラムの提供。端末装置は、ユーザから操作を受け付ける操作部と、ユーザが操作可能な操作オブジェクトを表示する表示部と、前記操作オブジェクトに対する操作量に応じて、２桁以上または２文字以上の長さを持つ入力情報を所定の規則に従って変化させる操作認識部と、前記操作オブジェクトの操作によって選択された入力情報を用いて所定の処理を行う制御部と、を備える。
2013035744.tif 000002
【特許請求の範囲】
【請求項１】
ユーザから操作を受け付ける操作部と、
ユーザが操作可能な操作オブジェクトを表示する表示部と、
前記操作オブジェクトに対する操作量に応じて、２桁以上または２文字以上の長さを持つ入力情報を所定の規則に従って変化させる操作認識部と、
前記操作オブジェクトの操作によって選択された入力情報を用いて所定の処理を行う制御部と、を備えたこと、を特徴とする端末装置。
【請求項２】
前記操作認識部は、前記表示部に、前記入力情報を表示する請求項１の端末装置。
【請求項３】
前記操作部が、ポインティングデバイスである請求項１または２の端末装置。
【請求項４】
前記操作認識部は、前記操作オブジェクトに対する操作量と方向に応じて、複数の入力情報をそれぞれ変化させ、
前記各入力情報が所望の値となるように前記操作オブジェクトを操作することにより、複数の入力情報を同時に入力可能である請求項１から３いずれか一の端末装置。
【請求項５】
前記操作オブジェクトは、第１の方向と、第１の方向と直交する第２の方向とを回転軸として回転可能な操作オブジェクトであり、
前記操作オブジェクトが基準位置から動かされた第１、第２の方向の角度によって、前記入力情報が変化する請求項１から３いずれか一の端末装置。
【請求項６】
前記操作オブジェクトは、２桁以上または２文字以上の長さを持つ入力情報のそれぞれの桁または位置に対応付けられた複数の操作オブジェクトによって構成されている請求項１から３いずれか一の端末装置。
【請求項７】
前記操作オブジェクトは、地図上の位置を示す操作オブジェクトであり、前記操作オブジェクトの示す位置情報によって前記入力情報が変化する請求項１から３いずれか一の端末装置。
【請求項８】
前記制御部は、前記入力情報により、ユーザ認証処理を行う請求項１から７いずれか一の端末装置。
【請求項９】
前記制御部は、前記入力情報により、アドレス帳のデータ選択処理を行う請求項１から８いずれか一の端末装置。
【請求項１０】
前記制御部は、前記入力情報を電話番号とした電話発信処理を行う請求項１から９いずれか一の端末装置。
【請求項１１】
表示装置に、ユーザが操作可能な操作オブジェクトを表示するステップと、
前記操作オブジェクトに対する操作量に応じて、２桁以上または２文字以上の長さを持つ入力情報を所定の規則に従って変化させるステップと、
所定の操作によって入力情報の選択を受け付けるステップと、を含む情報入力方法。
【請求項１２】
前記操作オブジェクトに対する操作量に応じて、２桁以上または２文字以上の長さを持つ入力情報を所定の規則に従って変化させるステップにおいて、
前記入力情報の表示を行う請求項１１の情報入力方法。
【請求項１３】
前記操作オブジェクトに対する操作量と方向に応じて、複数の入力情報をそれぞれ変化させ、
前記各入力情報が所望の値となるように前記操作オブジェクトを操作することにより、複数の入力情報を同時に入力可能である請求項１１または１２の情報入力方法。
【請求項１４】
ユーザから操作を受け付ける操作部と、表示部と、を備えたコンピュータに、
ユーザが操作可能な操作オブジェクトを表示する処理と、
前記操作オブジェクトに対する操作量に応じて、２桁以上または２文字以上の長さを持つ入力情報を所定の規則に従って変化させる処理と、
所定の操作によって入力情報の選択を受け付ける処理と、を実行させるプログラム。
【請求項１５】
前記操作オブジェクトに対する操作量に応じて、２桁以上または２文字以上の長さを持つ入力情報を所定の規則に従って変化させる処理とともに、
さらに、前記入力情報を表示する処理を実行させる請求項１４のプログラム。
【発明の詳細な説明】
【技術分野】
【０００１】
（関連出願についての記載）
本発明は、日本国特許出願：特願２０１１−１９５２２１号（２０１１年９月７日出願）の優先権主張に基づくものであり、同出願の全記載内容は引用をもって本書に組み込み記載されているものとする。【０００２】
本発明は、端末装置、情報入力方法およびプログラムに関し、特に、グラフィカルユーザインタフェース（ＧＵＩ）を用いて情報の入力を受け付ける端末装置、情報入力方法およびプログラムに関する。
【背景技術】
【０００３】
携帯電話端末において、従来の１文字の入力に１〜複数回のボタン操作が必要なトグル入力方式の入力インタフェースに代えて、フリック入力と呼ばれる文字入力のできる端末が普及しつつある。また、一般のパーソナルコンピュータなどにおいても、ローマ字入力方式、ひらがな入力方式ともに、１文字の入力に、１以上のキー押下が必要となっている。【０００４】
特許文献１に、テンキーに代えて、テンキーの数字をノード（入力点）に置き換えたマトリクス状の図形を表示し、暗証番号を入力すると、マトリクス状の図形の上に、ノード（入力点）を結んだ線を表示するようにした暗証番号の入力方法が開示されている。【０００５】
また、特許文献２には、手書き入力された一筆書きの線（ストローク）の形状が、予め入力されたテンプレートと一致するか否かによりユーザ認証を行なう認証装置が開示されている。
【先行技術文献】
【特許文献】
【０００６】
【特許文献１】特開２００６−１０７４１１号公報
【特許文献２】特開２００９−１６３４８２号公報
【発明の概要】
【発明が解決しようとする課題】
【０００７】
以下の分析は、本発明によって与えられたものである。上述したように、トグル入力方式では１文字の入力に１〜複数回のボタン操作が必要であり、フリック入力においても、目的とするタッチパネル上のボタンを目的の文字の方向に指をスライドさせるという１回の操作が必要となっている。さらに、キーボードを備えたパーソナルコンピュータや携帯端末においても、特別なキー割付を利用しない限り、１文字の入力に１〜複数回のボタン操作が必要となっている。【０００８】
特許文献１によると、あたかも図形を描くことにより複数の番号が入力できるように記載されているが、暗証番号を覚えやすくするよう図形を提示するに過ぎず、１文字の入力に１回の操作を必要としている点では既存のテンキーによる操作と変わりは無い。【０００９】
また、特許文献２は、手書きのサイン（署名）による認証を行うものであり、情報の入力を効率化する点については特段の提案はなされていない。【００１０】
本発明は、２桁以上または２文字以上の長さを持つ情報の入力を容易化することに貢献できる端末装置、情報入力方法およびプログラムを提供することを目的とする。
【課題を解決するための手段】
【００１１】
第１の視点によれば、ユーザから操作を受け付ける操作部と、ユーザが操作可能な操作オブジェクト（以下、画面上に表示されるユーザが何らかの操作を行うことのできるオブジェクトを「操作オブジェクト」と称する。）を表示する表示部と、前記操作オブジェクトに対する操作量に応じて、２桁以上または２文字以上の長さを持つ入力情報を所定の規則に従って変化させる操作認識部と、前記操作オブジェクトの操作によって選択された入力情報を用いて所定の処理を行う制御部と、を備えた端末装置が提供される。【００１２】
このような端末装置によれば、前記入力情報の各桁または各文字が所望の値となるように前記操作オブジェクトを操作することにより、２桁以上または２文字以上の情報を同時に入力することが可能となる。【００１３】
第２の視点によれば、表示装置に、ユーザが操作可能な操作オブジェクトを表示するステップと、前記操作オブジェクトに対する操作量に応じて、２桁以上または２文字以上の長さを持つ入力情報を所定の規則に従って変化させるステップと、所定の操作によって入力情報の選択を受け付けるステップと、を含む情報入力方法が提供される。本方法は、ユーザから情報の入力を受け付けるコンピュータという、特定の機械に結びつけられている。【００１４】
第３の視点によれば、ユーザから操作を受け付ける操作部と、表示部と、を備えたコンピュータに、ユーザが操作可能な操作オブジェクトを表示する処理と、前記操作オブジェクトに対する操作量に応じて、２桁以上または２文字以上の長さを持つ入力情報を所定の規則に従って変化させる処理と、所定の操作によって入力情報の選択を受け付ける処理と、を実行させるプログラムが提供される。なお、このプログラムは、コンピュータが読み取り可能な記憶媒体に記録することができる。即ち、本発明は、コンピュータプログラム製品として具現することも可能である。
【発明の効果】
【００１５】
本発明によれば、２桁以上または２文字以上の長さを持つ入力情報を簡単に入力することに貢献できる。
【図面の簡単な説明】
【００１６】
【図１】本発明の概要を説明するための図である。
【図２】本発明の概要を説明するための別の図である。
【図３】本発明の概要を説明するための別の図である。
【図４】本発明の第１の実施形態に係る携帯電話端末の構成を示すブロック図である。
【図５】図４の暗証番号記憶部に記憶される暗証番号の例である。
【図６】本発明の第１の実施形態に係る携帯電話端末の動作を表した流れ図である。
【図７】本発明の第１の実施形態に係る携帯電話端末の暗証番号入力画面の例である。
【図８】図７の続図である。
【図９】本発明の第２の実施形態に係る携帯電話端末の暗証番号入力画面の例である。
【図１０】本発明の第２の実施形態の携帯電話端末の暗証番号記憶部に記憶される暗証番号の例である。
【図１１】図９の続図である。
【図１２】本発明の第３の実施形態に係る携帯電話端末の暗証番号入力画面の例である。
【図１３】図１２の続図である。
【図１４】図１３の続図である。
【図１５】図１４の続図である。
【図１６】図１５の続図である。
【図１７】本発明の第４の実施形態に係る携帯電話端末の暗証番号入力画面の例である。
【図１８】図１７の続図である。
【図１９】本発明の第５の実施形態に係る携帯電話端末の発信電話番号入力画面の例である。
【図２０】図１９の続図である。
【図２１】本発明の第６の実施形態に係る携帯電話端末の電話帳データ呼び出し画面の例である。
【図２２】図２１の続図である。
【図２３】本発明の第７の実施形態に係る携帯電話端末のスケジュール帳画面の例である。
【図２４】本発明の第８の実施形態に係る携帯電話端末の入力方式選択画面の例である。
【発明を実施するための形態】
【００１７】
はじめに、本発明の概要について図面を参照して説明する。以下、この概要に付記した図面参照符号は、理解を助けるための一例として各要素に便宜上付記したものであり、本発明を図示の態様に限定することを意図するものではない。
【００１８】
本発明の一実施形態に係る端末装置は、ユーザから操作を受け付ける操作部（図２の１）と、ユーザが操作可能な操作オブジェクト（図１の１００ｂ）を表示する表示部（図２の２）と、前記操作オブジェクト（図１の１００ｂ）に対する操作量に応じて、２桁以上または２文字以上の長さを持つ入力情報を所定の規則に従って変化させる操作認識部（図２の３）と、前記操作オブジェクト（図１の１００ｂ）の操作によって選択された入力情報を用いて所定の処理を行う制御部（図２の４）と、を備える。なお、操作部としては、操作オブジェクトの移動、回転等を指示入力するため、マウス、タッチパネル、ジョイスティック、トラックボール、ペンタブレット、ライトペンなどのいわゆるポインティングデバイスを好ましく採用できる。
【００１９】
ユーザが図１のロボットの形をした操作オブジェクト１００ｂを動かすと、前記操作認識部（図２の３）は、ユーザの操作量とその向きに応じて、図１の下段に示された座標１、座標２の値を変化させる。ユーザが、各座標の値が予め定めた暗証番号となるように前記操作オブジェクトを操作し、確定ボタンをクリックすると、制御部（図２の４）は、その時点の座標１、座標２の値を前記操作認識部（図２の３）から受け取り、暗証番号によるユーザ認証処理を実行する。以上のように、本発明によれば、簡単な操作により、２桁以上または２文字以上の情報を同時に入力することが可能となる。
【００２０】
なお、図１の例では、操作認識部（図２の３）が、ユーザの操作量とその向きに応じて、図１の下段に示された座標１、座標２の値を変化させるものとして説明したが、例えば、操作オブジェクト１００ｂの移動可能な範囲に目盛り、補助線あるいはグリッドを表示するなどして、座標１、座標２の表示を省略することもできる。
【００２１】
また、図１の例では、前後、左右、斜めに自在に動かすことのできるロボットの形をした操作オブジェクト１００ｂを用いているが、操作オブジェクトの形態やその動きはこれに限られない。例えば、図３に示すように、時計回り、反時計周りに回転させることのできるダイヤル状の操作オブジェクト１００ａを用いて、その操作量（図３の例では角度）で入力情報（図３の例では「１２３」）を選択できるようにしてもよい。さらに、特定の操作によって、画面に対して奥行き方向の操作も可能として、その操作量も入力情報として用いることもできる。
【００２２】
また、図１、図３の例では、操作オブジェクト１００ａ、１００ｂを用いて選択された値をユーザ認証処理の暗証番号として用いているが、操作オブジェクト１００ａ、１００ｂを用いて選択された値は、種々の処理の入力情報として用いることができる。例えば、ユーザＩＤ、ＰＩＮ（Ｐｅｒｓｏｎａｌ  Ｉｄｅｎｔｉｆｉｃａｔｉｏｎ  Ｎｕｍｂｅｒ）コード、発信電話番号や電話帳データの番号などが挙げられる。
【００２３】
また、操作オブジェクト１００ａ、１００ｂを用いて選択された値は数字である必要はなく、例えば、図１のロボットの形をした操作オブジェクト１００ｂを前後に動かすと、座標１の値が「ＡＡ、ＡＢ、ＡＣ、・・・、ＡＺ、ＢＡ、ＢＢ、・・・」、「ああ、あい、あう、・・・、あを、いあ、いい、・・・」というように変化するようにすれば、２文字以上の文字の入力にも用いることができる。また、これら文字に代えて、図形、絵文字、顔文字等を所定の規則に従って変化させるようにしてもよい。従って、本発明は、アルファベット、カナ等を用いたパスワード、製品番号等のアルファベットと数字を含んだコードや短いフレーズの入力を求める場面においても好適に用いることができる。
【００２４】
［第１の実施形態］
続いて、本発明をタッチパネル式の携帯電話端末の入力インタフェースに適用した第１の実施形態について図面を参照して詳細に説明する。
【００２５】
図４は、本発明の第１の実施形態に係る携帯電話端末の構成を示すブロック図である。図４を参照すると、携帯電話端末全体に電力を供給する電源部１１と、使用者の音声信号を相手側に伝える送話部１２と、相手側の音声信号を使用者に伝える受話部１３と、音楽や音声、報知音を使用者に知らせるスピーカー１４と、アンテナを介して無線通信ネットワークと接続する無線部１５と、制御部１６と、携帯電話端末の発着信や各種機能の操作を受け付ける操作部１７と、各種情報を表示する表示部１８と、携帯電話端末の状態やデータ等を記憶する記憶装置１９とを備えた構成が示されている。
【００２６】
操作部１７は、表示部１８の表面に設置されたタッチパネル１７１を含んでいる。以下の説明では、ユーザは、このタッチパネル１７１を介して、操作を行うものとする。
【００２７】
制御部１６は、表示部１８とタッチパネル１７１を連携して制御する操作認識部１６１と、操作部１７からの信号有無等を検出し、予め設定された時間内にユーザの操作が無い場合に、バックライトの輝度低減や消灯を行う無操作タイマー部１６２と、予め登録されている暗証番号と入力された暗証番号等を比較判断する認証制御部１６３と、を含んでいる。
【００２８】
記憶装置１９は、電話機の各種設定情報を格納し記憶する設定記憶部１９１と、予め登録した暗証番号を記憶する暗証番号記憶部１９２とを含んでいる。
【００２９】
設定記憶部１９１には、上記各種設定情報のほか、タッチパネル操作、筺体開閉、スライド動作、キー押下、加速度センサー動作検出等の暗証番号の入力を求めてユーザ認証処理を開始する条件と、後記する操作ロックを行うか否かを示すフラグ等が記憶されている。
【００３０】
図５は、暗証番号記憶部１９２に記憶されている登録暗証番号の例である。以下、本実施形態では、各３桁の数字が操作オブジェクト＃１、＃２に紐付けられた、「０１２２３４１２３３４５」という１２桁の暗証番号が設定されているものとする。図５の例では、操作オブジェクト＃１を操作することにより変化する第１の入力情報が「０１２」、第２の入力情報が「２３４」となるように操作し、操作オブジェクト＃２を操作することにより変化する第１の入力情報が「１２３」、第２の入力情報が「３４５」となるように操作することで登録暗証番号どおりの暗証番号の入力が完了する。
【００３１】
なお、図４に示した携帯電話端末の制御部１６内の各部（処理手段）は、携帯電話端末の制御部を構成するコンピュータに、そのハードウェアを用いて、後記する各処理を実行させるコンピュータプログラムにより実現することもできる。
【００３２】
続いて、上記した携帯電話端末の動作について図面を参照して詳細に説明する。図６は、本発明の第１の実施形態に係る携帯電話端末の動作を表した流れ図である。なお、以下の説明では、携帯電話端末は、発着信機能やメール機能の利用などが制限された操作ロック状態にあるものとして説明する。
【００３３】
上記設定記憶部１９１に記憶されたユーザ認証処理を開始する条件が成立すると、携帯電話端末は、暗証番号の入力可能状態に遷移する（ステップａ１）。
【００３４】
次に、携帯電話端末は、表示部１８に操作オブジェクトと、入力情報の表示欄を配置したユーザ認証画面を表示する（ステップａ２）。
【００３５】
図７は、表示部１８に表示される暗証番号入力画面の例である。図７の例では、２つの球体状の操作オブジェクト１００ｃ（操作オブジェクト＃１に対応）、１００ｄ（操作オブジェクト＃２に対応）と、これら操作オブジェクト１００ｃ、１００ｄの動きに応じて値が変化する４つの入力情報表示欄１０１ｃ、１０１ｄとが配置されている。操作オブジェクト１００ｃ、１００ｄは、画面に対して垂直方向（第１の方向）と、第１の方向と直交する第２の方向（画面の天地方向）とを回転軸として回転可能な操作オブジェクトであり、垂直方向（第１の方向）を軸として球体を傾け、あるいは、第２の方向（画面の天地方向）を軸として回転させるような操作することにより入力情報表示欄１０１ｃ、１０１ｄに示された値を、その角度に応じて変化させることが可能となっている。なお、図７の例では、携帯電話端末に通常表示される、電波状態を示すアンテナアイコンやバッテリ残量を示す電池アイコンなど様々なアイコン表示は省略している。
【００３６】
次に、携帯電話端末は、無操作タイマー部１６２をクリアし、無操作時間の計測を開始する（ステップａ３）。
【００３７】
前記無操作タイマー部１６２が、一定時間無操作を検出した場合（ステップａ４のＹｅｓ）、携帯電話端末は、暗証番号の入力が無かったものとして、バックライトの消灯動作を行い処理を終了する（ステップａ９へ）。この場合、携帯電話端末は操作ロック状態のままとなる。もちろん、バックライトの消灯動作の一定時間前に、バックライトの輝度低減を行うようにしてもよい。
【００３８】
ユーザから何らかの操作があった場合（ステップａ４のＮｏ）、携帯電話端末の操作認識部１６１は、操作された内容が、キャンセルボタン（図７の「キャンセル」ボタン参照）の押下であるか否かを確認する（ステップａ５）。ここで、キャンセルが押下された場合、携帯電話端末は、暗証番号の入力を行わないとの意思表示がなされたものとして、処理を終了する（ステップａ９へ）。この場合も、携帯電話端末は操作ロック状態のままとなる。
【００３９】
次に、携帯電話端末の操作認識部１６１は、入力確定ボタン（図７の「確定」ボタン参照）の押下が行われたか否かを確認する（ステップａ６）。ここで、入力確定ボタン以外の操作、例えば、図７の操作オブジェクト１００ｃ、１００ｄの操作が行われた場合（ステップａ６のＮｏ）、携帯電話端末の操作認識部１６１は、ユーザの操作内容に応じて、操作オブジェクト１００ｃ、１００ｄを動かすとともに、入力情報表示欄１０１ｃ、１０１ｄの値を更新する（ステップａ１０）。その後、携帯電話端末は、再度、無操作タイマー部１６２をクリアし、無操作時間の計測を開始する（ステップａ３）。
【００４０】
一方、ステップａ６で、入力確定ボタンの押下を検出した場合（ステップａ６のＹｅｓ）、携帯電話端末の認証制御部１６３は、その時点で入力情報表示欄１０１ｃ、１０１ｄに示された値と、暗証番号記憶部１９２に登録されている登録暗証番号とを照合する（ステップａ７）。
【００４１】
前記照合の結果、入力情報表示欄１０１ｃ、１０１ｄに示された値と、登録暗証番号とが一致しない場合、携帯電話端末は、操作ロックを解除することなく、再度、暗証番号の入力画面に遷移する（ステップａ２へ）。この場合において、暗証番号の不一致が所定回数継続した場合には、暗証番号の入力画面に戻ることなく、各種の警報動作を行ったり、無線部１５を介して通報動作を行うようにしてもよい。
【００４２】
一方、前記照合の結果、入力情報表示欄１０１ｃ、１０１ｄに示された値と、登録暗証番号とが一致した場合、携帯電話端末は、操作ロックを解除する（ステップａ８）。
【００４３】
例えば、図８に示すように、入力情報表示欄１０１ｃ、１０１ｄの値が予め設定した登録暗証番号となった状態で、入力確定ボタンの押下がなされると、操作ロックが解除されることになる。以降、ユーザは、携帯電話端末の各種機能を利用することが可能になる。
【００４４】
以上のように、本実施形態によれば、操作オブジェクトに対する１回の操作で、２桁以上の番号を複数同時に入力することが可能となっている。例えば、背景技術として述べた１文字に対し１操作を要するテンキー入力方式の場合、図８に示された１２桁の暗証番号の入力にテンキー１２回の操作が必要となるが、本実施形態では、それぞれ２つの軸を持ち、０〜３６０度までの入力情報が変化する操作オブジェクト２個の操作で、３６０の４乗個を組み合わせた暗証番号を入力することが可能となる。
【００４５】
また、本実施形態では操作のしやすさと暗証番号の長さの双方を考慮して、入力情報は０度から３５９度までの３桁としているが、入力桁数や入力可能な範囲が変更可能なことはいうまでもない。例えば、入力範囲として０度から９９９度（３回転弱）までとすれば、１０００の４乗個、即ち、１０１２の長さを持つ暗証番号を入力することが可能となる。同様に、操作オブジェクトの一回転を９９９と規定し、操作量に応じて入力情報を変化させるようにすることも可能である。
【００４６】
また、上記実施形態では、入力情報表示欄１０１ｃ、１０１ｄを設け、ユーザの操作量に応じて、これらの値を変化させるものとして説明したが、例えば、操作オブジェクト１００ｃ、１００ｄの表面に、操作した角度量が分かるような彩色、数値を明示するなどして、入力情報表示欄１０１ｃ、１０１ｄの表示を省略することもできる。また、入力情報表示欄１０１ｃ、１０１ｄに代えて、操作オブジェクト１００ｃ、１００ｄ自体に数値をオーバーレイ表示したり、回転量に応じて、入力情報表示欄１０１ｃ、１０１ｄの明度、彩度、色相を変化させるようにして、入力情報表示欄１０１ｃ、１０１ｄを省略することもできる。
【００４７】
また、上記のような入力情報を表示しない形態を採用した結果、厳密な数値の選択が難しくなってしまう場合には、暗証番号の合否判定基準を緩和すればよい。例えば、図５の「０１２」、「２３４」と、「１２３」、「３４５」との組み合わせの登録暗証番号が設定されている場合、「０１０〜０１４」、「２３２〜２３６」と、「１２１〜１２５」、「３４３〜３４７」の範囲で操作オブジェクト１００ｃ、１００ｄが操作されれば、登録暗証番号と一致したものと判定するようにすればよい。
【００４８】
［第２の実施形態］
続いて、操作オブジェクトの操作をより簡単にした本発明の第２の実施形態について図面を参照して詳細に説明する。以下、本実施形態は、上記した第１の実施形態と同様の構成で実現でき、動作も略共通するので、その相違点を中心に説明する。
【００４９】
図９は、本実施形態の携帯電話端末の表示部１８に表示される暗証番号入力画面の例である。第１の実施形態の２方向に操作可能な球体状の操作オブジェクトに対し、第２の実施形態では、２つのダイヤル状の操作オブジェクト１００ｅ、１００ｆを採用した画面構成となっている。また、画面側方にはこれら操作オブジェクト１００ｅ、１００ｆの動きに応じて値が変化する入力情報表示欄１０１ｅ、１０１ｆが設けられている。
【００５０】
図１０は、本実施形態の携帯電話端末の暗証番号記憶部１９２に記憶されている登録暗証番号の例である。以下、本実施形態では、操作オブジェクト＃１（操作オブジェクト１００ｅ）、＃２（操作オブジェクト１００ｆ）に対してそれぞれ３桁の数字を紐付けた、「０４５１２３」という６桁の暗証番号が設定されている。
【００５１】
本実施形態では、ユーザが、入力情報が「０４５」となるように操作オブジェクト＃１を操作し、かつ、入力情報が「１２３」となるように操作オブジェクト＃２を操作することで登録暗証番号どおりの暗証番号の入力が完了する。
【００５２】
図１１は、入力情報が図１０に示した登録暗証番号どおりの値となるよう操作オブジェクト１００ｅ、１００ｆが操作された状態の暗証番号入力画面の例である。この状態で、入力確定ボタンの押下がなされると、操作ロックが解除されることになる。以降、ユーザは、携帯電話端末の各種機能を利用することが可能になる。
【００５３】
以上のように、本実施形態によれば、ダイヤル状の操作オブジェクト１００ｅ、１００ｆを採用し、操作オブジェクトの操作可能な方向に制限を加え、かつ、変化する入力情報表示欄の数を低減したため、上記第１の実施形態と比較して、操作性をより向上させることが可能となっている。
【００５４】
［第３の実施形態］
続いて、操作オブジェクトに変更を加え、入力情報の微細な操作を可能にした本発明の第３の実施形態について図面を参照して詳細に説明する。以下、本実施形態も、上記した第１、第２の実施形態と同様の構成で実現でき、動作も略共通するので、その相違点を中心に説明する。
【００５５】
図１２は、本実施形態の携帯電話端末の表示部１８に表示される暗証番号入力画面の例である。図１２を参照すると、初期状態として１つのスライダ状の操作オブジェクト１００ｇ１と入力情報表示欄１０１ｇが配置された画面構成となっている。
【００５６】
以下の説明では、携帯電話端末の暗証番号記憶部１９２に「６３９」との３桁の暗証番号が設定されているものとして説明する。
【００５７】
ユーザが図１２に示されたスライダ状の操作オブジェクト１００ｇ１を画面の上方にスライドさせていくと、入力情報の左から１番目の値が、スライド量に応じて変化していく。
【００５８】
図１３は、入力情報の左から１番目の値が「６」になったところで、ユーザが指の動きを止めた状態を示す図である。この状態から、ユーザが指を右にスライドさせると、入力情報の左から１番目の値は「６」に固定され、さらに、入力情報の左から２番目の値を変化させるためのスライダ状の操作オブジェクト１００ｇ２が表示される。
【００５９】
図１４は、入力情報の左から１番目の値が「６」に固定され、入力情報の左から２番目の値を変化させるためのスライダ状の操作オブジェクト１００ｇ２が表示された状態を示す図である。この状態から、ユーザが操作オブジェクト１００ｇ２を画面下方にスライドさせると、入力情報の左から２番目の値が、スライド量に応じて変化していく。
【００６０】
図１５は、入力情報の左から２番目の値が「３」になったところで、ユーザが指の動きを止めた状態を示す図である。この状態から、ユーザが指を右にスライドさせると、入力情報の左から２番目の値は「３」に固定され、さらに、入力情報の左から３番目の値を変化させるためのスライダ状の操作オブジェクト１００ｇ３が表示される。
【００６１】
以下同様に、ユーザが、スライダ状の操作オブジェクト１００ｇ３を操作し、入力情報の左から３番目の値が「９」になったところで指の動きを止めれば、「６３９」との３桁の暗証番号の入力が完結する。
【００６２】
図１６は、入力情報が登録暗証番号「６３９」となるよう操作オブジェクト１００ｇ１〜１００ｇ３が操作された状態の暗証番号入力画面の例である。この状態で、入力確定ボタンの押下がなされると、操作ロックが解除されることになる。以降、ユーザは、携帯電話端末の各種機能を利用することが可能になる。
【００６３】
以上のように、本実施形態によれば、入力情報の各桁について、スライダ状の操作オブジェクト１００ｇ１〜１００ｇ３で調整できるように構成したため、上記第１、第２の実施形態と比較して、容易に細かい値を入力することが可能となっている。もちろん、図１５中に矢線で示されたように、入力情報の入力を完結するまでのユーザの指の動きは一筆書きとなっているため、一回の操作で複数の数字または文字を入力可能とする本発明の利点は喪われていない。
【００６４】
なお、上記した実施形態では、スライダ状の操作オブジェクトを用いるものとして説明したが、スライダ状の操作オブジェクトに限らず、その他のＧＵＩ部品を用いてもよいし、キャラクター等を始点から上下左右に動かすことによって、入力情報の各桁または各位置に対応付けられた値の調整が完結する構成を採用してもよい。
【００６５】
また、個々のスライダ状の操作オブジェクトに割り当てる桁数や数値範囲やスライダ状の操作オブジェクトの数も、上記した第１、第２の実施形態と同様に、適宜変更することが可能である。
【００６６】
［第４の実施形態］
続いて、操作オブジェクトに変更を加えた本発明の第４の実施形態について図面を参照して詳細に説明する。以下、本実施形態も、上記した第１〜第３の実施形態と同様の構成で実現でき、動作も略共通するので、その相違点を中心に説明する。
【００６７】
図１７は、本実施形態の携帯電話端末の表示部１８に表示される暗証番号入力画面の例である。図１７を参照すると、初期状態として、地図上のマーカーのように表示される星型の操作オブジェクト１００ｈと、緯度経度を表示する入力情報表示欄１０１ｈが配置された画面構成となっている。
【００６８】
以下の説明では、携帯電話端末の暗証番号記憶部１９２に「Ｅ１３９°３９’５３”」と、「Ｎ３５°３４’３１”」との暗証番号として用いる緯度経度情報が設定されているものとして説明する。
【００６９】
図１７の日本全域が表示された地図では、星型の操作オブジェクト１００ｈの操作にて、入力情報表示欄の値を上記のような細かい緯度経度に合わせるのは困難である。そこで、ユーザは、上記緯度経度を指定するため、図１７に示した地図の対応する位置にてピンチアウト操作（２つの指を拡げる）を行うと、当該地域を拡大した地図が表示される。
【００７０】
図１８は、図１７の星型の操作オブジェクト１００ｈの付近で、ユーザがピンチアウト操作を行った後、星型の操作オブジェクト１００ｈのドラッグ操作を行って、入力情報表示欄の値が、上記した「Ｅ１３９°３９’５３”」と、「Ｎ３５°３４’３１”」となった状態を示す図である。この状態で、入力確定ボタンの押下がなされると、操作ロックが解除されることになる。以降、ユーザは、携帯電話端末の各種機能を利用することが可能になる。
【００７１】
以上のように、本発明は、地図上の操作オブジェクトを操作する形態でも実現することが可能である。また、本実施形態では、暗証番号となる緯度経度として、地図上のランドマーク、自宅、身内の者にしか判らない特別な場所等を目安にした緯度経度を設定することが可能となるため、ユーザにとっても暗証番号を覚えやすいものとなる。
【００７２】
なお、上記実施形態では、１回のピンチアウト操作にて目的となる緯度経度を入力できたものとして説明したが、複数回のピンチアウト操作を行うようにしてもよいことはもちろんである。
【００７３】
なお、上記実施形態では、平面状の地図を用いた例を挙げて説明したが、上記した第１の実施形態の球体状の操作オブジェクトの表面に地図を描いて、緯度経度による入力情報を選択させるようにすることも可能である。
【００７４】
また、上記した実施形態では、入力情報として緯度経度情報を用いるものとして説明したが、その他位置情報を入力情報として用いることもできる。例えば、地図上の各グリッド等に割り当てられた符号や番号や、別途定めた原点を基準とする座標情報等を変化させて、入力情報として選択させる構成も採用可能である。
【００７５】
［第５の実施形態］
続いて、操作オブジェクトの操作により入力された入力情報を発信電話番号として用いる本発明の第５の実施形態について図面を参照して詳細に説明する。以下、本実施形態も、上記した第１〜第４の実施形態と同様の構成で実現でき、動作も略共通するので、その相違点を中心に説明する。
【００７６】
図１９は、本実施形態の携帯電話端末の表示部１８に表示される発信電話番号入力画面の例である。図１９の例では、先の第１の実施形態と同様に、２つの球体状の操作オブジェクト１００ｃ、１００ｄと、これら操作オブジェクト１００ｃ、１００ｄの動きに応じて値が変化する４つの入力情報表示欄１０１ｃ、１０１ｄとが配置されている。
【００７７】
例えば、図１９のように、入力情報表示欄１０１ｃ、１０１ｄに発信したい電話番号が表示された状態で、発信ボタンの押下がなされると、図２０に示すように、携帯電話端末の制御部１６が、操作認識部１６１から受け取った入力情報を元に、電話発信処理を開始する。
【００７８】
以上のように、本発明は、ユーザ認証処理における暗証番号の入力に限られず、電話番号等の各種の数値、コード、フレーズの入力を求める場面でも利用することができる。もちろん、図１９に示したような２つの球体状の操作オブジェクト１００ｃ、１００ｄでなくとも、電話番号として必要な桁数を表現できるようにすることで、上記した第２〜第４の実施形態で用いた操作オブジェクトを用いることも可能である。
【００７９】
［第６の実施形態］
続いて、操作オブジェクトの操作により入力された入力情報により電話帳データの呼び出し機能を実現した本発明の第６の実施形態について図面を参照して詳細に説明する。以下、本実施形態も、上記した第１〜第５の実施形態と同様の構成で実現でき、動作も略共通するので、その相違点を中心に説明する。
【００８０】
図２１は、本実施形態の携帯電話端末の表示部１８に表示される電話帳呼び出し画面の例である。図２１の例では、先の第２の実施形態と同様のダイヤル状の操作オブジェクト１００ａと、その動きに応じて値が変換する入力情報表示欄１０１ａと、入力情報表示欄１０１ａに表示された電話帳データの一部を表示するデータ表示欄１０２ａとが配置されている。
【００８１】
例えば、図２１のように、操作オブジェクト１００ａを操作しながら、データ表示欄１０２ａの内容を参照し、所望のデータが表示された状態で、確定ボタンの押下がなされると、図２２に示すように、携帯電話端末の制御部１６が、操作認識部１６１から受け取った入力情報に対応するデータを電話帳から読み出し表示する。
【００８２】
以上のように、本発明は、ユーザ認証処理における暗証番号の入力に限られず、電話帳データの呼び出し等の場面でも利用することができる。また、本実施形態の上記した第２で用いたダイヤル状の操作オブジェクトでなくとも、上記した第１、第３、第４の実施形態で用いた操作オブジェクトを用いることも可能である。
【００８３】
［第７の実施形態］
続いて、上記した第２の実施形態の、操作オブジェクトの操作の表示タイミングに変更を加えた本発明の第７の実施形態について図面を参照して詳細に説明する。以下、本実施形態も、上記した第１〜第６の実施形態と同様の構成で実現でき、動作も略共通するので、その相違点を中心に説明する。
【００８４】
図２３は、本実施形態の携帯電話端末の表示部１８に表示されるスケジュール帳画面の例である。図２３の例では、ユーザがスケジュール帳の利用中に、画面右上に、第２の実施形態と同様のダイヤル状のオブジェクト１００ｉと、その動きに応じて値が変換する入力情報表示欄１０１ｉと、が表示された状態を示している。
【００８５】
ここで、ユーザが、例えば、図２３に矢線で示したように、ダイヤル状のオブジェクト１００ｉを回転させたい方向に指を動かすと、ダイヤル状のオブジェクト１００ｉが当該方向に従って回転する。
【００８６】
そして、入力情報表示欄１０１ｉに、当該ユーザの登録暗証番号が表示された状態で、一定時間経過すると、携帯電話端末の認証制御部１６３が、入力内容の確定操作がなされたものとみなして、操作認識部１６１から受け取った入力情報を用いて、ユーザ認証を実行する。
【００８７】
前記ユーザ認証の結果、ユーザ認証に成功した場合、ユーザは、スケジュール帳機能の利用を継続することができる。一方、ユーザ認証に失敗した場合、スケジュール帳機能の利用は禁止あるいは制限を受けることになる。
【００８８】
以上のように、本発明は、特定の機能の利用中におけるユーザ認証処理にも適用することができる。
【００８９】
また、本実施形態に限らず、図２３に示したように、表示部１８に表示する操作オブジェクトの大きさに制約はない。例えば、タッチパネル１７１における操作内容を優先的に読み取って、操作オブジェクトと入力情報表示欄の値を変化させる形態も採用することが可能である。
【００９０】
［第８の実施形態］
続いて、本発明の第８の実施形態について図面を参照して詳細に説明する。以下、本実施形態も、上記した第１〜第７の実施形態と同様の構成で実現でき、動作も略共通するので、その相違点を中心に説明する。
【００９１】
図２４は、本実施形態の携帯電話端末の表示部１８に表示される入力方式の選択画面の例である。図２４を参照すると、画面の中央に、上記した第１〜第３の実施形態の操作オブジェクトにて各入力方式を表わした入力方式選択オブジェクト１００ｊが表示されている。
【００９２】
例えば、ユーザ認証処理の設定画面として、図２４の入力方式の選択画面が表示されている場合、ユーザが中央にあるダイヤル状の操作オブジェクトを選択すると、上記した第２の実施形態のようにダイヤル状の操作オブジェクトを用いたユーザ認証が行われる。同様にユーザが、図２４の右側の球体状の操作オブジェクトを選択すると、上記した第１の実施形態のように球体状の操作オブジェクトを用いたユーザ認証が行われる。
【００９３】
以上のように、本実施形態によれば、ユーザの好みや、本発明が適用される端末装置の表示画面の大きさや操作部として備えられたポインティングデバイスの種類に応じて、好適な入力方式を選択させることが可能となる。
【００９４】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した実施形態では、入力情報表示欄に表示される値は数値や緯度経度情報であり、操作オブジェクトの動きに応じて、昇順乃至降順に変化するものとして説明したが、入力情報表示欄や操作オブジェクト自体に文字や記号を表示し、「あいうえお」やアルファベット順に変化させていくこともできる。
【００９５】
また、上記した各実施形態では、本発明を携帯電話端末に適用した例を挙げて説明したが、本発明は、携帯電話端末以外のパーソナルコンピュータや業務用端末等の端末装置にも適用することができる。
【００９６】
また本発明は、銀行のＡＴＭ（Ａｕｔｏｍａｔｅｄ  Ｔｅｌｌｅｒ  Ｍａｃｈｉｎｅ）における暗証番号や振込先口座番号の入力画面としても好適に採用することが可能である。もちろん、住宅や事務所に設置されたセキュリティシステムの暗証番号入力画面としても採用することができる。
【００９７】
また本発明は、上述したとおりキーストロークを発生させないため、スパイウェア等によるキーストロークの窃取も困難化することができる。
【００９８】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【００９９】
最後に、本発明の好ましい形態を要約する。
【０１００】
［第１の形態］
（上記第１の視点による端末装置参照）
【０１０１】
［第２の形態］
第１の形態の端末装置において、
前記操作認識部は、前記表示部に、前記入力情報を表示する端末装置。
【０１０２】
［第３の形態］
第１または第２の形態の端末装置において、
操作部が、ポインティングデバイスである端末装置。
【０１０３】
［第４の形態］
第１から第３いずれか一の形態の端末装置において、
前記操作認識部は、前記操作オブジェクトに対する操作量と方向に応じて、複数の入力情報をそれぞれ変化させ、
前記各入力情報が所望の値となるように前記操作オブジェクトを操作することにより、複数の入力情報を同時に入力可能である端末装置。
【０１０４】
［第５の形態］
第１から第３いずれか一の形態の端末装置において、
前記操作オブジェクトは、第１の方向と、第１の方向と直交する第２の方向とを回転軸として回転可能な操作オブジェクトであり、
前記操作オブジェクトが基準位置から動かされた第１、第２の方向の角度によって、前記入力情報が変化する端末装置。
【０１０５】
［第６の形態］
第１から第３いずれか一の形態の端末装置において、
前記操作オブジェクトは、２桁以上または２文字以上の長さを持つ入力情報のそれぞれの桁または位置に対応付けられた複数の操作オブジェクトによって構成されている端末装置。
【０１０６】
［第７の形態］
第１から第３いずれか一の形態の端末装置において、
前記操作オブジェクトは、地図上の位置を示す操作オブジェクトであり、前記操作オブジェクトの示す位置情報によって前記入力情報が変化する端末装置。
【０１０７】
［第８の形態］
第１または第７の形態の端末装置において、
前記制御部は、前記入力情報により、ユーザ認証処理を行う端末装置。
【０１０８】
［第９の形態］
第１または第８の形態の端末装置において、
前記制御部は、前記入力情報により、アドレス帳のデータ選択処理を行う端末装置。
【０１０９】
［第１０の形態］
第１または第９の形態の端末装置において、
前記制御部は、前記入力情報を電話番号とした電話発信処理を行う端末装置。
【０１１０】
［第１１の形態］
（上記第２の視点による情報入力方法参照）
【０１１１】
［第１２の形態］
第１１の形態の情報入力方法において、
前記操作オブジェクトに対する操作量に応じて、２桁以上または２文字以上の長さを持つ入力情報を所定の規則に従って変化させるステップにおいて、
前記入力情報の表示を行う情報入力方法。
【０１１２】
［第１３の形態］
第１１または第１２の形態の情報入力方法において、
前記操作オブジェクトに対する操作量と方向に応じて、複数の入力情報をそれぞれ変化させ、
前記各入力情報が所望の値となるように前記操作オブジェクトを操作することにより、複数の入力情報を同時に入力可能である情報入力方法。
【０１１３】
［第１４の形態］
（上記第３の視点によるプログラム参照）
【０１１４】
［第１５の形態］
第１４の形態のプログラムにおいて、
前記操作オブジェクトに対する操作量に応じて、２桁以上または２文字以上の長さを持つ入力情報を所定の規則に従って変化させる処理とともに、
さらに、前記入力情報を表示する処理を実行させるプログラム。
【符号の説明】
【０１１５】
１、１７  操作部
２、１８  表示部
３、１６１  操作認識部
４、１６  制御部
１１  電源部
１２  送話部
１３  受話部
１４  スピーカー
１５  無線部
１９  記憶装置
１００ａ〜１００ｈ、１００ｇ１〜１００ｇ３  操作オブジェクト
１００ｉ  オブジェクト
１００ｊ  入力方式選択オブジェクト
１０１ａ〜１０１ｉ  入力情報表示欄
１０２ａ  データ表示欄
１６２  無操作タイマー部
１６３  認証制御部
１７１  タッチパネル
１９１  設定記憶部
１９２  暗証番号記憶部
【図１】
2013035744.tif 000003
【図２】
2013035744.tif 000004
【図３】
2013035744.tif 000005
【図４】
2013035744.tif 000006
【図５】
2013035744.tif 000007
【図６】
2013035744.tif 000008
【図７】
2013035744.tif 000009
【図８】
2013035744.tif 000010
【図９】
2013035744.tif 000011
【図１０】
2013035744.tif 000012
【図１１】
2013035744.tif 000013
【図１２】
2013035744.tif 000014
【図１３】
2013035744.tif 000015
【図１４】
2013035744.tif 000016
【図１５】
2013035744.tif 000017
【図１６】
2013035744.tif 000018
【図１７】
2013035744.tif 000019
【図１８】
2013035744.tif 000020
【図１９】
2013035744.tif 000021
【図２０】
2013035744.tif 000022
【図２１】
2013035744.tif 000023
【図２２】
2013035744.tif 000024
【図２３】
2013035744.tif 000025
【図２４】
2013035744.tif 000026
【国際調査報告】
2013035744.tif 000027
2013035744.tif 000028
2013035744.tif 000029
2013035744.tif 000030
2013035744.tif 000031
2013035744.tif 000032
2013035744.tif 000033